(57)【要約】【課題】手乗りに生産できる種を大幅に拡大し、かつ差し餌の準備および給餌、差し餌中の育雛用具管理など、手乗り鳥生産にかかる時間・労力・費用を大幅に削減する。【解決手段】雛鳥を、巣引き中の手乗り成鳥に育雛させる。育雛用成鳥が手乗りであるため、雛鳥が飼育者を目視可能な環境下であっても成鳥が育雛放棄せず、成鳥が飼育者に対して警戒音を発しないどころか、かえってなついている様子を見て、雛鳥も自然と手乗りに育つ。雛鳥が生き餌を必要とする種であって、育雛用成鳥が生き餌を食べない種の場合には、飼育者は生き餌のみ雛鳥に与え、その他の育雛行為は手乗り成鳥に任せる。【選択図】  なし【特許請求の範囲】
【請求項１】
雛鳥と巣引き中の手乗り成鳥とを用意し、前記雛鳥が飼育者を目視可能な環境下で、前記成鳥に育雛させることを特徴とする手乗り鳥の生産方法。
【請求項２】
前記雛鳥は従来手乗りにできない品種であることを特徴とする、請求項１に記載の手乗り鳥の生産方法。
【請求項３】
前記雛鳥は生き餌を餌とする品種であって、前記雛鳥への生き餌の給餌を前記飼育者が行うことを特徴とする、請求項２に記載の手乗り鳥の生産方法。
【請求項４】
前記環境は、底部とその周囲に起立した壁部を有し上面が開口するように作成された巣であることを特徴とする、請求項１〜３のいずれか１項に記載の手乗り鳥の生産方法。
【請求項５】
請求項１〜４のいずれか１項に記載の方法に使用する巣であって、底部とその周囲に起立した壁部を有し上面が開口していることを特徴とする巣。
【請求項６】
請求項１〜４のいずれか１項に記載の方法で生産されたことを特徴とする手乗り鳥。
【発明の詳細な説明】
【０００１】
【発明の属する技術分野】
本発明は、手乗り鳥の生産方法、該方法に使用する巣、および該方法で生産された手乗り鳥に関する。
【０００２】
【従来の技術】
従来、野鳥や飼鳥として人気の高いフィンチ類は、文鳥を除き一般に手乗りにするのが不可能であり、手乗りにできるのは飼鳥の内インコ類や文鳥などに限られていた。また、これらのインコ類や文鳥などを手乗りにするための方法として、インコ類の場合は成鳥１羽が出入りできる大きさの穴以外は木板で全面を覆われた巣箱から、文鳥の場合は通気穴と成鳥１羽が出入りできる大きさの穴以外は木板で全面を覆われた箱巣またはつぼ巣から、孵化後２〜３週間の雛鳥を取り出し、親鳥から隔離して人間が差し餌で飼育する方法が広く知られてきた。
【０００３】
なお、鳥類の飼育方法に関する技術としては、例えば下記特許文献１に開示されており、小鳥の巣箱に関する技術としては、例えば下記特許文献２に開示されている。
【特許文献１】特開平９−１１７２３３号公報
【特許文献２】特開平８−２５６６２５号公報
【０００４】
【発明が解決しようとする課題】
このような従来の手乗り鳥生産方法では、手乗りにできる鳥の種類はごく限られており、また隔離後は一人餌になるまで毎日１．５〜４時間おきに差し餌をし、雛鳥の成長に応じて３〜５種類の飼育容器を用意する必要があるので、手乗りにするためにかかる時間と労力は膨大であった。本発明はこのような課題に鑑み、野鳥および文鳥以外のフィンチ類やインコ類を含む各種飼鳥を手乗りとして生産することを可能にし、かつ手乗りにするための差し餌にかかわる一切の時間・労力・費用面の負担をほぼ皆無にした手乗り鳥の生産方法とこれに使用する巣、および生産された手乗り鳥を提供することを目的とする。
【０００５】
【課題を解決するための手段】
本発明者らは、手乗り鳥の生産対象種の拡大と生産工程の省力化・簡便化を目的として、飼育および生産方法について鋭意研究を重ねてきた結果、手乗り成鳥に育雛させることで、巣の内部および鳥体が露出した環境下で雛鳥を手乗りにしうることを見出し、本発明を完成するに至った。
【０００６】
すなわち、本発明のうち、請求項１に記載の手乗り鳥の生産方法は、雛鳥と巣引き中の手乗り成鳥とを用意し、前記雛鳥が飼育者を目視可能な環境下で、前記成鳥に育雛させることを特徴とする。
【０００７】
また、本発明のうち、請求項２に記載の手乗り鳥の生産方法は、請求項１に記載の手乗り鳥の生産方法であって、前記雛鳥は従来手乗りにできない品種であることを特徴とする。
【０００８】
また、本発明のうち、請求項３に記載の手乗り鳥の生産方法は、請求項２に記載の手乗り鳥の生産方法であって、前記雛鳥は生き餌を餌とする品種であって、前記雛鳥への生き餌の給餌を前記飼育者が行うことを特徴とする。
【０００９】
また、本発明のうち、請求項４に記載の手乗り鳥の生産方法は、請求項１〜３のいずれか１項に記載の手乗り鳥の生産方法であって、前記環境は、底部とその周囲に起立した壁部を有し上面が開口するように作成された巣であることを特徴とする。
【００１０】
また、本発明のうち、請求項５に記載の巣は、請求項１〜４のいずれか１項に記載の方法に使用する巣であって、底部とその周囲に起立した壁部を有し上面が開口していることを特徴とする。
【００１１】
また、本発明のうち、請求項６に記載の手乗り鳥は、請求項１〜４のいずれか１項に記載の方法で生産されたことを特徴とする。
【００１２】
【発明の実施の形態】
以下、本発明による手乗り鳥の生産の実施形態について具体的に説明するが、本発明はこれに制限されるものではない。
【００１３】
また、以下の説明では、便宜上飼育ケージ内での育雛・飼育を前提とした表現に統一するが、本発明の実施場所はこれに限定されるものではなく、例えば野鳥園のように自然に酷似した環境を網などで外界と仕切った場所や、禽舎、実験室、店舗、家屋内など、成鳥を手乗りの状態で飼育できればいかなる場所でもよい。
【００１４】
更に、以下の説明では、実施場所の条件に応じて、飼育者が通常の飼育行為を行って適正に飼育環境を管理することを前提とする。例えば、飼育ケージ内で実施する場合であれば、雛鳥および育雛用手乗り成鳥の食性に応じた各種飼料や飲み水の供給、飼育ケージの清掃、温度管理、就寝・起床時刻管理などの他、騒音や振動など鳥が危険を感じる要素を排除し、必要に応じて爪切り、水浴びや砂浴びの用意、巣を使用する場合は巣の清掃などが、通常の飼育行為に含まれる。
【００１５】
（実施の形態１）
本発明による手乗り鳥の生産方法の実施にあたっては、まず雛鳥と巣引き中である育雛用の手乗り成鳥を用意する。ここで用意する雛鳥は目が開く前のものが望ましく、具体的には、例えばセキセイインコであれば孵化後約７日未満、ジュウシマツであれば孵化後約４日未満の雛鳥が望ましい。また、更に好ましくは孵化直後の雛鳥を用意する。ただし、現実には、自家繁殖でない限り孵化直後乃至目が開く前の雛鳥を入手するのは困難であるから、例えば有精卵を入手して育雛用の手乗り成鳥に抱卵させてもよい。
【００１６】
尚、ここで巣引きとは、飼育籠や禽舎の中など人工的な環境下で、産卵・抱卵・育雛という過程を経て鳥を繁殖させることを指し、育雛とは、親鳥（生みの親または仮親）が給餌・保温・羽づくろい・雛鳥の糞処理などを行って雛を育てることを指す。繁殖期の有無に関わらず、鳥類は一般的に巣引き中でなければ抱卵や育雛を行わないため、例えば通年で繁殖可能なセキセイインコのような種であっても、巣引き中でなければ抱卵や育雛を行わせることはできない。
【００１７】
また、本発明で用いる手乗り成鳥とは、雛鳥を育雛できる巣引き中の１または複数の手乗り鳥を意味する。雛鳥の遺伝的な親鳥を用いるのが望ましいが、必ずしも雛鳥の遺伝的な親鳥に限られるものではなく、十分な育雛能力がない鳥種や個体の場合、例えば同種であって親鳥とは別の個体である仮親や、異種の個体である仮親等を用いても同等の結果を得ることができる。
【００１８】
但し、当業者には自明のことながら、仮親に抱卵または育雛させるには、仮親自身も同時期に産卵・抱卵・育雛を行わなければならないため、非手乗り鳥で通常行われている仮親を用いた繁殖準備を予め行うことになる。具体的には、数つがいの仮親候補を用意し、適時に発情飼料を与えるなどして巣引きの時期を事前に調整する。また、異種の仮親を選定するには、従来の非手乗り鳥の場合と同様、餌の種類や卵の大きさ、くちばしの形状や大きさ、雛鳥への給餌方法などが育雛可能である鳥種が望ましい。
【００１９】
本発明では育雛用の成鳥に必ず手乗り鳥を用いることが特徴の一つであるが、より好ましくは育雛用の成鳥が相性の良いつがいであって、さらに好ましくは最も無防備な状態である交尾中に飼育ケージを持って移動しても動じない程度に飼育者に慣れているものを用いる。
【００２０】
次に、上記で用意した雛鳥を、この雛鳥が飼育者を目視可能な環境下で、上記で用意した巣引き中の手乗り成鳥に育雛させる。具体的には、雛鳥が飼育者を目視可能な環境とは、巣箱やつぼ巣に限定されるものではなく、例えば餌入れの中や庭箱（ニワコ）の床面、家具の天板などでもよく、巣のない環境であっても実施可能である。以下の記述においても、雛鳥が飼育者を目視可能な環境は同様に定義されるものとする。
【００２１】
このような手乗り成鳥を育雛に用いることにより、長年巣引き（特に抱卵や育雛）が不可能だと考えられていた雛鳥が飼育者を目視可能な環境下であっても、すなわち巣の内部および鳥体が露出していても、成鳥が育雛放棄することなく雛鳥が一人餌になるまで育雛させることが可能になった。さらに、このような手乗り成鳥を育雛に用いるため、鳥か人間かを問わず外界に対して本来過敏になっているはずの育雛中であっても、成鳥は飼育者に警戒音を発しないばかりか飼育者に遊んでもらおうとする。これにより、雛鳥に飼育者が警戒対象であるとは刷り込まれず、そればかりか遊んでもらう相手であると学習するため、このような手乗り成鳥に育雛させた雛鳥は自動的に手乗りになる。
【００２２】
（実施の形態２）
本実施の形態２では、実施の形態１に係る雛鳥として、特に従来手乗りにできなかった品種を用いる。この雛鳥が従来手乗りにできなかった品種、例えば野鳥および文鳥以外のフィンチ類であっても、異なる品種から選定された巣引き中である育雛用の手乗り成鳥を仮親にすることで、上記と同様の方法で手乗り鳥の生産が可能になる。文鳥以外のフィンチ類としては、例えば並フィンチであればジュウシマツやキンカチョウ、高級フィンチであればコキンチョウ、キンセイチョウなどが挙げられる。ただし、本実施の形態２では、上記の例に限定されることなく、従来の方法で手乗り鳥が生産できるインコ類や文鳥以外の全ての飼鳥や野鳥を対象としているが、特に野鳥の場合は雛鳥と育雛用成鳥との食性を調整することが望ましい。
【００２３】
具体的には、例えばジュウシマツのように従来手乗りにはできないとされるフィンチの雛鳥を、例えば巣引き中の手乗りセキセイインコの成鳥に雛鳥が飼育者を目視可能な環境下で育雛させることによって、手乗りジュウシマツを生産できる。さらに、こうして生産された１代目の手乗りジュウシマツ同士をつがいにすると、２代目以降は異種の仮親を用いなくてもより簡便に手乗り雛鳥の生産が可能になる。
【００２４】
尚、例示したジュウシマツは、コキンチョウ、イッコウチョウ、カエデチョウなど自育（メスまたはつがいの成鳥が産卵〜抱卵〜育雛を自分で行うこと）できないフィンチ類の繁殖用仮親として従来から多用されている。本発明によって生産された手乗りジュウシマツを用いることで、従来自育すらできなかったフィンチ類を手乗り鳥として生産することも可能になった。
【００２５】
（実施の形態３）
本実施の形態３では、上記実施の形態２に係る雛鳥が生き餌を餌とする品種であっても、巣引き中である育雛用の手乗り成鳥を仮親にした上で、この雛鳥への生き餌の給餌を飼育者が行うことにより、上記と同様の方法で手乗り雛鳥の生産が可能になる。仮親である育雛用の手乗り成鳥が生き餌を餌としない品種である場合は、たとえ雛鳥が生き餌の採餌が生命維持に必要な品種であっても、一人餌になる前の雛鳥は口元まで生き餌を持ってきてもらわなければ生き餌を食べることはできない。そこで、雛鳥が飼育者を目視可能な環境下で、生き餌を与えることだけは飼育者が行い、それ以外の一切の育雛は育雛用手乗り成鳥に行わせることで、生き餌を餌とする品種でも手乗り鳥を生産することが可能になる。
【００２６】
具体的には、例えば上記方法で生産された手乗りセキセイインコや同様の手乗りジュウシマツのように育雛用手乗り成鳥が生き餌を食べない種であって、雛鳥は例えばスズメのように生き餌を与えるのが好ましい野鳥や一部の飼鳥である場合、生き餌以外の給餌や保温、羽づくろいなどの育雛は成鳥にさせ、飼育者は生き餌をピンセットなどで雛鳥の口元に持っていって食べさせることで、スズメなどの野鳥や生き餌を餌とする飼鳥の手乗りが生産可能になる。
【００２７】
さらに、こうして生産された１代目の手乗りスズメ同士をつがいにすると、２代目以降は異種の仮親を用いなくても生き餌の給餌も含めた一切の育雛を鳥任せにできるため、より簡便に手乗り雛鳥の生産が可能になる。但し、当然のことながら、育雛と関係なく親鳥である手乗りスズメ成鳥の飼育に必要な生き餌は、その他の飼料や飲み水などと共に飼育者が常に供給することになる。
【００２８】
（実施の形態４）
本実施の形態４では、上記実施の形態１〜３に係る手乗り鳥の生産方法を実施する場合の雛鳥が飼育者を目視可能な環境として、底部とその周囲に起立した壁部を有し上面が開口するように作成された巣を使用する。
【００２９】
この巣は、底部とその周囲に起立した壁部を有し上面が開口していて、雛鳥が巣の中から飼育者を目視できればよい。従って、必ずしも底部と壁部が異なる部材で構成されている必要はなく、例えば一体整形されたものや底部から壁部にかけて椀状に湾曲した形状でもよい。また、巣の素材としては、鳥体に安全で吸水性があればいかなるものでもよく、具体的にはラワン材やＳＰＦ材、シルクウッドなどの木板の他、ワラやシュロ、木の枝などを鳥種に応じて使用する。なお、本発明は、巣の内部に各種飼料や巣材を入れたり、木板などで作成されている場合は底部に卵寄せの窪みを設けるなど、より好適に抱卵・育雛させるための変形例でも実施可能である。
【００３０】
（実施の形態５）
本実施の形態５による巣は、上記実施の形態１〜４に係る手乗り鳥の生産方法に使用し得るものであって、底部とその周囲に起立した壁部を有し上面が開口するように人工的に作成されていて、具体的には上記実施の形態４で例示した性質を持つ巣であればよい。
【００３１】
（実施の形態６）
本実施の形態６による手乗り鳥は、上記実施の形態１〜４に係る手乗り鳥の生産方法のうち、いずれかの方法で生産されたことを特徴とする。
【００３２】
（実施例）
以下の実施例において、本発明の手乗り鳥生産方法を更に詳細に説明するが、これは何ら本発明を限定するものではない。
【００３３】
本発明の手乗り鳥生産方法に基づいて、高級セキセイインコの雛鳥６羽を、該雛鳥の遺伝的な両親であって手乗りである高級セキセイインコの成鳥１つがいに約５週間育雛させて、一人餌（成鳥用飼料および飲み水を必要量独力で採取可能であって、独力で体温維持が可能な状態のこと）になった手乗りセキセイインコ雛鳥６羽を得た。
【００３４】
本実施例では、室内に設置した３５ｃｍ×４０ｃｍ×４３ｃｍの飼育ケージの床面および壁面に、セキセイインコ用混合飼料・ボレー粉・青菜・塩土・カトルボーンなどの飼料と飲み水を、本発明の巣と共に配置した。この巣は、底部に厚さ１．５ｃｍのラワン材、壁部に厚さ１．５ｃｍのシルクウッドを用いた上面が開口した直方体で、底面を１８ｃｍ×１７ｃｍ、高さを６ｃｍ（それぞれ外寸）とした。底部の材質は吸水性、壁部の材質はセキセイインコの木をかじる習性上好ましい硬さと安全性があることに留意して選定した。
【００３５】
本実施例では、雛鳥の遺伝的な親鳥が育雛用の手乗り成鳥でもあるため、巣は産卵前から飼育ケージに設置した。親鳥は、交尾の後、第１卵〜第６卵を１１日間で産卵し、期間中の最低温度２１℃、最高温度２８℃の室温で、第１卵産卵後４日目から抱卵を開始し、１６日間の抱卵期間を経て第１子が孵化した。
【００３６】
孵化後は毎日１２時間おきに雛鳥の体重測定と写真撮影および巣の掃除を行った。体重の推移は表１に記載した通り、従来の方法で生産された手乗りセキセイインコと遜色がないばかりか、個体によってはより良好な生育状態であった。尚、表１に記載した従来例の体重測定は、安全のため各雛鳥の孵化後７日目から行い、雛鳥を親鳥から分離するまでの期間は測定時のみ巣箱から雛鳥を取り出した。
【００３７】
【表１】
2005000050.tif 000002
【００３８】
また、体重測定と巣の掃除にかかった時間は毎回７分程度であった。この間は、飼育ケージの天井を取り外して育雛用成鳥を室内で自由に飛ばしたり飼育者が遊んでやったりする。育雛用成鳥が手乗りなので、飼育者に対して警戒音を発しないどころか飼育者になついている姿を日々目の当たりにしていたため、雛鳥に人間である飼育者が警戒対象だと刷り込まれず、よくなついた。また、体重測定は同時に雛鳥と飼育者とのスキンシップの役目も果たしたので、精神的に安定した手乗り鳥を得られた。体重測定のために飼育者が雛鳥を手に乗せていると、室内に放していた育雛用成鳥も飼育者の手に遊びに来ることがあり、飼育者の手で親子が遊んでいたり、親鳥が手の上で給餌や羽づくろいをしたり、時には睡眠をとることもあった。さらに、精神的に安定しているため、知的な発達も早く、例えば発達の段階に応じて変化する遊び内容の推移も早い手乗りになった。
【００３９】
孵化後２２日目頃から雛鳥は巣から自由に出入りできるようになり、徐々に成鳥と同じ餌を自分で採餌するようになった。孵化後２７日目で完全に一人餌になったが、成鳥と雛鳥達を別の飼育ケージに分離するのは、成鳥が次の産卵前行動に入ってからの第１子孵化後４０日目であった。
【００４０】
孵化から成鳥との分離までの期間、飼育者が通常の手乗り成鳥飼育以外のために割いた時間は、のべ９．３３時間（一回７分×一日２回×４０日間）であった。
【００４１】
孵化から成鳥との分離までの期間、給餌や保温、羽づくろいなど、一切の育雛は完全に成鳥が行った。飼育者は成鳥用の飼料や飲み水の交換、飼育ケージや巣の掃除（巣の内部は親鳥も掃除しているが、衛生面への配慮から飼育者が毎日２回掃除した）の他、上述した各種管理など、ごく一般的な世話を行っただけである。
【００４２】
本実施例のように育雛用の成鳥と雛鳥の鳥種が同じ場合、雛鳥は、給餌中に成鳥の体液も同時に摂取することで、従来の手乗りより免疫力などが高まりより体力的にも良好な個体に育つ利点がある。
【００４３】
（従来例）
従来の手乗りセキセイインコ生産方法を用いて、飼育ケージ、飼育場所、飼育期間の室温などの条件を上記（実施例）と等しくした環境で手乗りセキセイインコの雛鳥６羽を得た。
【００４４】
親鳥が交尾を始めたので、成鳥１羽が出入りできる大きさの穴以外は木板で全面を覆われた従来の巣箱を飼育ケージに設置した。巣の内部を目視できないため、メスの体型や採餌の様子、巣から殆ど出てこなくなるなどの行動から、第１卵を産卵したと推測し、その後、１２日間で合計６卵産卵した。第１卵産卵日から推定で１８日目に第１子が孵化し、孵化後１６〜１８日目（推定）になった第１子と第２子の雛鳥を巣箱から飼育者が取り出し、親鳥から隔離した。その後、第６子まで順次、体格の成長に応じて親鳥から隔離していった。
【００４５】
親鳥から隔離した雛鳥は、予めワラなどを敷いておいた「ふご」に移し、毎日朝６時から夜８時すぎまで１．５〜２時間おきに飼育者が差し餌を作り与えた。差し餌は、予め湯でふかした粟玉、ボレー粉、青菜をすり鉢ですり、親鳥の体温程度に湯煎して温めたものを毎回用意する。雛鳥６羽の約１日分の差し餌作りに約３０分、１回差し餌するのに約３０分かかった。
【００４６】
また、親鳥から隔離した直後に初めて与える差し餌を全く受け付けない雛鳥もあり、この状態が２時間以上続いた個体は一旦親鳥の巣箱に戻し、後日改めて親鳥から隔離した。また、どの個体も親鳥から隔離後２〜３日間は飼育者に対して威嚇または警戒するような行動をとった。
【００４７】
雛鳥の成長に応じて、「ふご」から「ますかご」や「プラケース」など、より大きい飼育容器を用意しておき、一人餌になるまでに３〜４回移し替えが必要になった。差し餌を食べる量は成長と共に多くなるが、一日に差し餌を与える回数は少しずつ減らすことが可能で、孵化後３２日目（推定）で一人餌になる直前には差し餌の頻度は３〜４時間おきで済ませられるようになった。
【００４８】
親鳥との分離から一人餌になるまでの期間、飼育者が通常の手乗り成鳥飼育以外のために割いた時間は、のべ５９．５時間（毎朝３０分×１４日間＋［一回３０分×一日１０回×７日間］＋［一回３０分×一日５回×７日間］）であった。
【００４９】
尚、上記実施例では、遺伝的に親子関係のあるセキセイインコを育雛用成鳥に用いたが、例えば同じセキセイインコ同士であっても遺伝関係がない手乗りセキセイインコの仮親を用いたり、ジュウシマツやスズメの手乗り雛鳥を手乗りセキセイインコの仮親で作ったり、キンカチョウの手乗り雛鳥を手乗りジュウシマツの仮親で作ったりと、実施の形態１〜４に詳説した方法により各種変形例で本発明を実施することも可能である。
【００５０】
また、上記実施例では、雛鳥も育雛用成鳥にもセキセイインコを用いたため餌は種子類が中心だったが、本発明は、一部の飼鳥や特に野鳥など鳥の種類によっては昆虫やワームなどの生き餌を与える変形例でも実施可能である。
【００５１】
【発明の効果】
請求項１に係る手乗り鳥生産方法によれば、従来の手乗り鳥生産方法に比べ、手乗り生産可能種が大幅に増加し、かつ非手乗り雛鳥を手乗り雛鳥にするための時間・労力・費用が圧倒的に少ない負担で生産可能になる。
【００５２】
請求項２に係る手乗り鳥生産方法によれば、従来の手乗り鳥生産方法では手乗りにすることが不可能だった品種であっても手乗り鳥を生産することが可能になる。
【００５３】
請求項３に係る手乗り鳥生産方法によれば、従来手乗りにすることが不可能だった品種の内、特に生き餌を必要とする種であっても、手乗り鳥を生産することが可能になる。
【００５４】
請求項４に係る手乗り鳥生産方法によれば、「雛鳥が飼育者を目視可能な環境」を容易に実現して、請求項１〜３に係る手乗り鳥の生産方法を簡便に実行できる。
【００５５】
請求項５に係る巣によれば、請求項１〜４に係る手乗り鳥の生産方法を実行するにあたって、「雛鳥が飼育者を目視可能な環境」を容易に実現できる。
【手続補正書】
【提出日】平成16年1月27日(2004.1.27)
【手続補正２】
【補正対象書類名】明細書
【補正対象項目名】特許請求の範囲
【補正方法】変更
【補正の内容】
【特許請求の範囲】
【請求項１】
雛鳥と巣引き中の手乗り成鳥とを用意し、前記雛鳥が飼育者を目視可能な環境下で、前記成鳥に育雛させることを特徴とする手乗り鳥の生産方法。
【請求項２】
前記環境は、底部とその周囲に起立した壁部を有し上面が開口するように作成された巣であることを特徴とする、請求項１に記載の手乗り鳥の生産方法。
【手続補正３】
【補正対象書類名】明細書
【補正対象項目名】０００６
【補正方法】変更
【補正の内容】
【０００６】
すなわち、本発明のうち、第１の発明に係る手乗り鳥の生産方法は、雛鳥と巣引き中の手乗り成鳥とを用意し、前記雛鳥が飼育者を目視可能な環境下で、前記成鳥に育雛させることを特徴とする。


【手続補正４】
【補正対象書類名】明細書
【補正対象項目名】０００７
【補正方法】変更
【補正の内容】
【０００７】
また、本発明のうち、第２の発明に係る手乗り鳥の生産方法は、第１の発明に係る手乗り鳥の生産方法であって、前記雛鳥は従来手乗りにできない品種であることを特徴とする。


【手続補正５】
【補正対象書類名】明細書
【補正対象項目名】０００８
【補正方法】変更
【補正の内容】
【０００８】
また、本発明のうち、第３の発明に係る手乗り鳥の生産方法は、第２の発明に係る手乗り鳥の生産方法であって、前記雛鳥は生き餌を餌とする品種であって、前記雛鳥への生き餌の給餌を前記飼育者が行うことを特徴とする。


【手続補正６】
【補正対象書類名】明細書
【補正対象項目名】０００９
【補正方法】変更
【補正の内容】
【０００９】
また、本発明のうち、第４の発明に係る手乗り鳥の生産方法は、第１〜第３のいずれか一つの発明に係る手乗り鳥の生産方法であって、前記環境は、底部とその周囲に起立した壁部を有し上面が開口するように作成された巣であることを特徴とする。


【手続補正７】
【補正対象書類名】明細書
【補正対象項目名】００１０
【補正方法】変更
【補正の内容】
【００１０】
また、本発明のうち、第５の発明に係る巣は、第１〜第４のいずれか一つの発明に係る方法に使用する巣であって、底部とその周囲に起立した壁部を有し上面が開口していることを特徴とする。


【手続補正８】
【補正対象書類名】明細書
【補正対象項目名】００１１
【補正方法】変更
【補正の内容】
【００１１】
また、本発明のうち、第６の発明に係る手乗り鳥は、第１〜第４のいずれか一つの発明に係る方法で生産されたことを特徴とする。


【手続補正９】
【補正対象書類名】明細書
【補正対象項目名】００５１
【補正方法】変更
【補正の内容】
【００５１】
【発明の効果】
第１の発明に係る手乗り鳥生産方法によれば、従来の手乗り鳥生産方法に比べ、手乗り生産可能種が大幅に増加し、かつ非手乗り雛鳥を手乗り雛鳥にするための時間・労力・費用が圧倒的に少ない負担で生産可能になる。


【手続補正１０】
【補正対象書類名】明細書
【補正対象項目名】００５２
【補正方法】変更
【補正の内容】
【００５２】
第２の発明に係る手乗り鳥生産方法によれば、従来の手乗り鳥生産方法では手乗りにすることが不可能だった品種であっても手乗り鳥を生産することが可能になる。


【手続補正１１】
【補正対象書類名】明細書
【補正対象項目名】００５３
【補正方法】変更
【補正の内容】
【００５３】
第３の発明に係る手乗り鳥生産方法によれば、従来手乗りにすることが不可能だった品種の内、特に生き餌を必要とする種であっても、手乗り鳥を生産することが可能になる。


【手続補正１２】
【補正対象書類名】明細書
【補正対象項目名】００５４
【補正方法】変更
【補正の内容】
【００５４】
第４の発明に係る手乗り鳥生産方法によれば、「雛鳥が飼育者を目視可能な環境」を容易に実現して、第１〜第３の発明に係る手乗り鳥の生産方法を簡便に実行できる。


【手続補正１３】
【補正対象書類名】明細書
【補正対象項目名】００５５
【補正方法】変更
【補正の内容】
【００５５】
第５の発明に係る巣によれば、第１〜第４の発明に係る手乗り鳥の生産方法を実行するにあたって、「雛鳥が飼育者を目視可能な環境」を容易に実現できる。